(57)【要約】【課題】伸縮脚の耐荷重を大きく、デザインの自由度を大きくし、簡単な加工で安価に多量生産する。【解決手段】伸縮脚７の全長を変更して天板１の高さを調整する机であって、伸縮脚７は、天板１に固定している下端開口の筒部４を有する固定脚２と、筒部４に出入り自在に挿入している挿入ロッド部８の下端に鍔部９を設けている延長脚部３と、挿入ロッド部８が挿入される調整筒１０とを備え、挿入ロッド部８に挿入する調整筒１０でもって伸縮脚７の全長を変更して天板１の高さを調整する。【選択図】図３
2015130970.tif 000002
【特許請求の範囲】
【請求項１】
天板(1)の下面に垂直に固定してなる伸縮脚(7)の全長を変更して、前記天板(1)の高さを調整できるようにしてなる机であって、
前記伸縮脚(7)が、前記天板(1)の下面に上端を固定して、かつ下端を開口して内部の中空部(15)を上下方向に延びる直線状とする筒部(4)を有する固定脚(2)と、
この固定脚(2)の筒部(4)の内側に出入り自在に挿入される挿入ロッド部(8)を有し、かつこの挿入ロッド部(8)の下端に鍔部(9)を設けてなる延長脚部(3)と、
この延長脚部(3)の前記挿入ロッド部(8)を挿入できる筒状の調整筒(10)とを備え、
前記挿入ロッド部(8)に挿入される前記調整筒(10)でもって前記伸縮脚(7)の全長を変更するようにしてなることを特徴とする天板の高さ調整できる机。
【請求項２】
請求項１に記載される天板の高さ調整できる机であって、
前記調整筒(10)の外形が、前記固定脚(2)の外形に等しいことを特徴とする天板の高さ調整できる机。
【請求項３】
請求項１に記載される天板の高さ調整できる机であって、
前記固定脚(2)の筒部(4)に、前記挿入ロッド部(8)を固定する止ネジ(12)を挿通する挿通孔(13)を貫通して設けており、
この挿通孔(13)に挿入される止ネジ(12)でもって、前記挿入ロッド部(8)を固定するようにしてなることを特徴とする天板の高さ調整できる机。
【請求項４】
請求項３に記載される天板の高さ調整できる机であって、
前記止ネジ(12)が雄ネジで、前記挿通孔(13)を前記止ネジ(12)の雄ネジをねじ込む雌ねじ孔とし、あるいは、前記挿入ロッド部(8)に、止ネジ(12)の先端を挿入する複数のガイド穴(14)を前記挿入ロッド部(8)の長手方向に離して設けてなることを特徴とする天板の高さ調整できる机。
【請求項５】
請求項１ないし４のいずれかに記載される天板の高さ調整できる机であって、
前記固定脚(2)と前記調整筒(10)の外形が四角柱状で、前記固定脚(2)の筒部(4)の内形と、前記調整筒(10)の内形と、前記挿入ロッド部(8)の外形が四角柱状としてなる天板の高さ調整できる机。
【請求項６】
請求項１ないし４のいずれかに記載される天板の高さ調整できる机であって、
前記固定脚(2)と前記調整筒(10)の外形が円柱状で、前記固定脚(2)の筒部(4)の内形と、前記調整筒(10)の内形と、前記挿入ロッド部(8)の外形が円柱状としてなる天板の高さ調整できる机。
【請求項７】
請求項１ないし６のいずれかに記載される天板の高さ調整できる机であって、
前記鍔部(9)の外形が、前記固定脚(2)と前記調整筒(10)の外形に等しくしてなることを特徴とする天板の高さ調整できる机。
【発明の詳細な説明】
【技術分野】
【０００１】
本発明は、こたつ、テーブル、家具、学習机など、天板を複数の伸縮脚で高さ調整できるように支持してなる天板の高さ調整できる机に関する。
【背景技術】
【０００２】
こたつやテーブルの脚部を長くして、座った状態のみならず、椅子に座った状態でも使えるようにした机型の家具（以下、集合的に「机」という。）が開発されている。このような机は、例えば車椅子に乗ったままでも、こたつに入ることができるなど、便利に使用できる。また、用途に応じて脚部を短くした通常のこたつとして使用するなど、脚部を継ぎ足し式としたものが望まれている。
【０００３】
天板の四隅に伸縮脚を固定して、天板の高さを調整できる机は開発されている。（特許文献１参照）
この机は、図１に示す天板１を下から見た斜視図に示すように、固定脚２に下から上下に移動できるるように延長脚部３を挿入している。固定脚２は、下端に開口する筒部４を設けて、筒部４から上方に延びるように、深さが異なる複数の嵌入溝５を放射状に設けている。延長脚部３は、筒部４に挿入できるように外形を筒部４の内形よりもわずかに小さくしている。さらに、嵌入溝５に挿入する板状突出部６を上端から突出するように設けている。この机は、板状突出部６を、深さが異なる嵌入溝５に挿入して伸縮脚７の長さを変更して天板１の高さ調整する。この構造の机は、板状突出部６を嵌入溝５に入れて伸縮脚７の長さを調整するので、天板１の荷重を板状突出部６の上端面と嵌入溝５の底面とで支持するので、天板１の荷重を支持する面積が小さく、すなわち支持面における単位面積に作用する荷重が大きくなる。このため、天板１が重くなり、あるいは天板１に重いものが載せられると支持面が変形して伸縮脚７の長さが変化する欠点がある。伸縮脚７の長さが変化すると、天板１を水平姿勢に支持できなくなり、あるいは天板１を所定の高さに支持できなくなるので、机として正常には使用できなくなる。この欠点は、板状突出部６と嵌入溝５の支持部分を、たとえば金属製として充分な強度として解消できるが、机の伸縮脚は主として木材、ＭＤＦ、紙筒等が使用されることから、この部分を金属製とするには製造コストが高くなり、また伸縮脚の全体を金属製とすると、木製の天板との相性が悪くなって種々の用途の机には使用できなくなる欠点がある。
【０００４】
さらに、以上の机は、固定脚２の筒部４に延長脚部３を挿入するので、延長脚部３が固定脚２よりも一回り細く、華奢な印象を与える上、脚部の太さが途中で二段階に変わるため、見栄えも良くないという問題があった。
【０００５】
さらにまた、以上の机は固定脚２の加工が極めて難しく、加工コストが極めて高くなる欠点がある。それは、固定脚２に設けた筒部４の底に、放射状に嵌入溝５を設けるのが極めて難しいからである。筒部４の底に深く設けられる嵌入溝５は、溝加工する回転刃物では加工できない。この嵌入溝５は、固定脚２の下端開口部から挿入して、板状の深溝を加工できる刃物でしか加工できないが、下端開口部は小さく、この小さい開口部から、板状の嵌入溝５を、放射状に、さらに深さが異なるように切削加工するのは現実には極めて難しい。
【先行技術文献】
【特許文献】
【０００６】
【特許文献１】実開昭６４−０４７２２６号公報
【発明の概要】
【発明が解決しようとする課題】
【０００７】
本発明は、従来のこのような問題点を解決するためになされたものである。本発明の主な目的は、伸縮脚の長さを調整可能としながら、伸縮脚の耐荷重を大きくし、さらに、固定脚に延長脚部を挿入しながら、延長脚部が固定脚よりも細くならず、延長脚部を自由な太さとしてデザインの自由度を大きくできる机を提供することにある。
さらにまた、本発明の他の大切な目的は簡単な加工で安価に多量生産できる天板の高さ調整できる机を提供することにある。
【課題を解決するための手段及び発明の効果】
【０００８】
本発明の請求項１の天板の高さ調整できる机は、天板１の下面に垂直に固定してなる伸縮脚７の全長を変更して、天板１の高さを調整できるようにしている。伸縮脚７は、天板１の下面に上端を固定して、かつ下端を開口して内部の中空部１５を上下方向に延びる直線状とする筒部４を有する固定脚２と、この固定脚２の筒部４の内側に出入り自在に挿入される挿入ロッド部８を有し、かつこの挿入ロッド部８の下端に鍔部９を設けてなる延長脚部３と、この延長脚部３の挿入ロッド部８を挿入できる筒状の調整筒１０とを備え、挿入ロッド部８に挿入される調整筒１０でもって伸縮脚７の全長を変更して、天板１の高さを調整する。
【０００９】
以上の天板の高さ調整できる机は、調整筒の個数や長さを変更して、伸縮脚の長さを調整して、天板の高さを最適な位置に設定できる。さらに、以上の机は、伸縮脚の全長を変更して天板の高さを最適な高さにできるにもかかわらず、伸縮脚を強靭な構造にできる特徴がある。それは、挿入ロッド部に調整筒を挿通して、挿入ロッド部を固定脚の筒部に挿入し、調整筒を挿入ロッド部に挿通する状態で固定脚の下面と鍔部の上面とで挟んで固定し、調整筒の個数や高さで伸縮脚の全長を変更するからである。この構造の伸縮脚は、天板の垂直荷重を調整筒で支持する。このため、天板の垂直荷重で伸縮脚が伸縮されることがなく、大きな荷重が作用する状態においても天板を水平に保持できる特徴がある。また、以上の天板の高さ調整できる机は、天板の水平方向の荷重に対しても伸縮脚を充分な強度にできる特徴がある。それは、挿入ロッド部に調整筒を挿通して、その上部を固定脚の筒部に挿入しているからである。この構造の伸縮脚は、天板に水平方向の荷重が作用して、伸縮脚に曲げ応力が作用する状態において、挿入ロッド部に曲げ応力が作用する。ただ、この状態において、挿入ロッド部には調整筒を挿入して、この調整筒の上下を固定脚の下面と鍔部の上面で挟着している。したがって、挿入ロッド部の曲げ応力を調整筒で支持し、さらに、調整筒を固定脚と鍔部とで挟着することで、さらに挿入ロッド部の曲げ強度を向上できる。
【００１０】
さらにまた、以上の天板の高さ調整できる机は、挿入ロッド部を固定脚から引き抜き、これに挿通する調整筒の個数や高さを変更して、伸縮脚の全長を変更できるので、簡単かつ容易に、しかも誰もが天板の高さを最適な高さに調整できる特徴も実現する。
【００１１】
また、挿入ロッド部には筒状の調整筒を挿通しているので、調整筒で伸縮脚の全長を変更しながら、挿入ロッド部の太さを調整筒で自由に調整できるので、伸縮脚のデザインの自由度を大きく、たとえば、調整筒を固定脚と同じ太さとして、伸縮脚の全体を同じ太さとしてスッキリとしたデザインにできる特徴も実現する。
【００１２】
さらに、以上の机は、簡単な加工で安価に多量生産できる特徴も実現する。それは、以上の机の伸縮脚が、従来の机のように、伸縮脚の長さを変更するために、固定脚の筒部の底部に、深くて深さが異なる複数の嵌入溝を設ける必要がなく、挿入ロッド部に調整筒を入れて伸縮脚の長さを調整できるからである。
【００１３】
本発明の請求項２の机は、調整筒１０の外形を固定脚２の外形に等しくしている。この机は、調整筒で伸縮脚の長さを変更しながら、伸縮脚全体を同じ太さにできる。すなわち、天板の高さを調整しない机と同じスッキリしたデザインにできる。
【００１４】
本発明の請求項３の机は、固定脚２の筒部４に、挿入ロッド部８を固定する止ネジ１２を挿通する挿通孔１３を貫通して設けて、挿通孔１３に挿入される止ネジ１２でもって、挿入ロッド部８を固定脚２に固定する。
【００１５】
以上の机は、止ネジで挿入ロッド部を筒部に固定して、延長脚部を固定脚に固定するので、天板を持ち上げて机を移動するときなどに、延長脚部が固定脚から外れることがなく、便利に移動できる。
【００１６】
本発明の請求項４の机は、止ネジ１２を雄ネジとし、挿通孔１３を止ネジ１２の雄ネジをねじ込む雌ねじ孔とし、あるいは、挿入ロッド部８に、止ネジ１２の先端を挿入する複数のガイド穴１４を挿入ロッド部８の長手方向に離して設ける構造とする。この机は、止ネジで挿入ロッド部を固定脚に固定できる。
【００１７】
本発明の請求項５の机は、固定脚２と調整筒１０の外形を四角柱状とし、固定脚２の筒部４の内形と、調整筒１０の内形と、挿入ロッド部８の外形を四角柱状とする。
【００１８】
本発明の請求項６の机は、固定脚２と調整筒１０の外形を円柱状とし、固定脚２の筒部４の内形と、調整筒１０の内形と、挿入ロッド部８の外形を円柱状とする。
【００１９】
本発明の請求項７の机は、鍔部９の外形を、固定脚２と調整筒１０の外形に等しくしている。
【図面の簡単な説明】
【００２０】
【図１】従来の天板の高さを調整できる机を天板の下面からみた斜視図である。
【図２】本発明の一実施例にかかる天板の高さを調整できる机を上から見た斜視図である。
【図３】図２に示す机を上から見た分解斜視図である。
【図４】図２に示す机を下から見た分解斜視図である。
【図５】本発明の他の実施例にかかる机の分解斜視図である。
【図６】本発明の他の実施例にかかる机の底面図である。
【図７】図６に示す机の分解斜視図である。
【図８】本発明の他の実施例にかかる机の分解斜視図である。
【図９】図２に示す机の伸縮脚を示す断面図である。
【図１０】伸縮脚の他の一例を示す断面図である。
【図１１】伸縮脚の他の一例を示す分解斜視図である。
【発明を実施するための形態】
【００２１】
以下、本発明の実施例を図面に基づいて説明する。ただし、以下に示す実施例は、本発明の技術思想を具体化するための机を例示するものであって、本発明は机を以下のものに特定しない。
【００２２】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２３】
図２〜図８に示す机は、天板１の下面に垂直に固定している伸縮脚７の全長を変更して、天板１の高さを調整する。図の机は４本の伸縮脚７を四角形の天板１の四隅に固定して、天板１を水平姿勢に支持する。図の机は、４本の伸縮脚７で天板１を水平姿勢に支持するが、机は３本以上の伸縮脚で天板を水平に支持できる。図の机は天板１を四角形とするが、天板は多角形、楕円形など種々の形状とすることができる。
【００２４】
伸縮脚７は、下端開口の筒部４を有し、上端を天板１の下面に固定している固定脚２と、固定脚２の筒部４の内側に出入り自在に挿入される挿入ロッド部８の下端に鍔部９を設けている延長脚部３と、延長脚部３の挿入ロッド部８を挿入できる筒状の調整筒１０とを備える。この伸縮脚７は、挿入ロッド部８に挿入される調整筒１０の個数を変更し、又は図３と図５に示すように、全長が異なる調整筒１０に交換して、伸縮脚７の全長を変更する。固定脚２、延長脚部３、及び調整筒１０は、木製することができる。ただ、固定脚、延長脚部、及び調整筒は、ＭＤＦや紙筒で製造することも、あるいは、木材とＭＤＦと紙筒とを組み合わせて製造することもできる。
【００２５】
図２〜図７の机は、固定脚２の外形を四角柱状として、筒部４を四角筒状として、天板１の下面に垂直に固定している。固定脚２の筒部４は、挿入ロッド部８を出入り自在に挿入して、伸縮脚７の全長を調整する。したがって、固定脚２は、筒部４の内側を上下方向に延びる直線状としている。図２〜図７の固定脚２は、筒部４を四角筒状として内部の中空部１５に四角柱状の挿入ロッド部８を挿入している。ただし、固定脚は、外形と筒部の内形を必ずしも四角形とする必要はない。図８の机は、固定脚２の外形を円柱状とし、筒部４を円筒状として、天板１の下面に垂直に固定している。この固定脚２は、円筒状の筒部４の内部の中空部１５に円柱状の挿入ロッド部８を挿入している。さらに、固定脚は、外形と筒部の内形を多角形、楕円形、Ｌ字状とすることもできる。また、固定脚は、図示しないが、外形と内形を異なる形状とすることもできる。たとえば、固定脚は、外形を四角柱状として、筒部の内形を円形、楕円形、多角形とすることも、外形を円柱状として、筒部の内形を多角形や楕円形とすることもできる。筒部の内形を非円形とする伸縮脚は、非円形の筒部に挿入ロッド部を回転しないように挿入することができる。
【００２６】
図９の断面図に示す固定脚２は、全体の形状を筒状として全体を筒部４としている。この伸縮脚７は、長い挿入ロッド部８を挿入できるので、伸縮脚７の長さを大きく変更できる。また、挿入ロッド部８を固定脚２に深く挿入して、強靭な構造、特に曲げ強度を強くできる。ただし、固定脚は必ずしも全体を筒状とする必要はなく、図１０に示すように、上部を除く部分を筒部とし、あるいは下部を筒部とすることもできる。
【００２７】
延長脚部３は、固定脚２の筒部４に挿入する挿入ロッド部８の下端に鍔部９を設けている。挿入ロッド部８は、伸縮脚７を最も短くする状態、すなわち、挿入ロッド部８に調整筒１０を入れない状態で固定脚２の筒部４の奥まで挿入される長さであって、筒部４に出し入れできるように、外形を筒部４の内形よりもわずかに小さくしている。挿入ロッド部８は、筒部４との間に、たとえば０．５ｍｍ〜２ｍｍ、好ましくは１ｍｍ〜１．５ｍｍの隙間ができる外形に製作される。挿入ロッド部８は、筒部４の内形と同じ形状、すなわち、図２ないし図７に示すように、四角柱状の筒部４に挿入される挿入ロッド部８は四角柱状に、図８に示すように、円柱状の筒部４に挿入される挿入ロッド部８は円柱状に製作される。鍔部９は、固定脚２の外形と同じ形状としている。この伸縮脚７は、調整筒１０を挿入しない状態で、また固定脚２と同じ外形であって同じ太さの調整筒１０を入れる状態で、全体の形状と太さを同じとするスッキリした外形にできる。ただ、鍔部は、調整筒を固定脚との間に挟着することができる全ての形状とすることができ、また、固定脚の外形よりも大きくし、あるいは小さくすることもできる。
【００２８】
調整筒１０は、挿入ロッド部８に挿入されて、伸縮脚７の全長を長くする。調整筒１０は、固定脚２の外形と同じ外形としている。調整筒１０を入れて伸縮脚７を長くする状態で、伸縮脚７の外形を変更しないためである。調整筒１０の内形は、挿入ロッド部８にスムーズに挿入できるように、挿入ロッド部８との間に、たとえば０．５ｍｍ〜２ｍｍ、好ましくは１ｍｍ〜１．５ｍｍの隙間ができるように加工される。調整筒１０は、中心軸方向の長さで、伸縮脚７を長くする寸法を特定する。調整筒１０は、挿入ロッド部８に挿入されて伸縮脚７を長くする。したがって、伸縮脚７は、調整筒１０を使用しない状態と、調整筒１０を使用する状態で全長を変化できる。さらに、図３と図５に示すように、長さが異なる複数の調整筒１０を使用して、伸縮脚７の全長を、最短、中間、最長の３段階に変更できる。
【００２９】
図６と図７に示す伸縮脚７は、止ネジ１２で延長脚部３を固定脚２に固定する。この伸縮脚７は、延長脚部３を抜けないように固定脚２に連結できるので、たとえば、天板１を持ち上げて机を移動するときに、延長脚部３が抜け落ちることがなく、便利に移動できる。ただ、本発明の机は、必ずしも延長脚部を固定脚に固定する必要はない。それは、延長脚部を固定しない机も、使用状態においては、延長脚部が固定脚２から抜けることはないからである。
【００３０】
図６と図７に示す伸縮脚７は、固定脚２の筒部４に、延長脚部３を固定する止ネジ１２を挿通する挿通孔１３を貫通して設けている。止ネジ１２は、挿通孔１３に挿入されて延長脚部３を固定脚２に固定する。止ネジ１２は雄ネジで、挿通孔１３を止ネジ１２の雄ネジをねじ込む雌ねじ孔とし、あるいは、挿入ロッド部８に、止ネジ１２の先端を挿入するガイド穴１４として、止ネジ１２の先端部をねじ込む複数の雌ねじ孔を挿入ロッド部８の長手方向に離して設けて、止ネジ１２を雌ねじ孔にねじ込んで、延長脚部３を固定脚２に固定する。挿入ロッド部８に設けられるガイド穴１４は、鍔部９と固定脚２との間に、長さが異なる調整筒１０を入れ、あるいは調整筒１０を入れない状態で、挿通孔１３に挿入される止ネジ１２の先端部を挿入できる位置に配置される。
【００３１】
筒部４の挿通孔１３を雌ねじ孔とする伸縮脚７は、雌ねじ孔に止ネジ１２をねじ込んで挿入ロッド部８を固定脚２に固定するので、挿入ロッド部８に雌ねじ孔を設けることなく、ガイド穴１４として横穴を設けて、この横穴に止ネジ１２の先端部を挿入して延長脚部３を固定脚２に固定できる。また、筒部の挿通孔を雌ねじ孔とする伸縮脚は、ガイド穴を、横穴に代わって凹部や水平溝として止ネジの先端部を挿入することもできる。さらに、挿入ロッド部８に設けるガイド穴１４を雌ねじ孔とする伸縮脚７は、雌ねじ孔に止ネジ１２の先端をねじ込んで挿入ロッド部８を固定脚２に固定するので、筒部４の挿通孔１３を雌ねじ孔とすることなく、貫通孔として簡単に開口できる。
【００３２】
図６と図７に示す机は、天板１の四隅に配置される４つの固定脚２の対向する内側面に止ネジ１２を挿通する挿通孔１３を設けている。このように、固定脚２の内側面に止ネジ１２を挿通す構造は、固定脚２に挿通される止ネジ１３を外側から見え難くして外観を良くできる。図の机は、外形を四角形とする固定脚２の内側の２面に挿通孔１３を設けており、各固定脚２を各々２本の止ネジ１３を介して挿入ロッド部８に固定する構造としている。ただ、伸縮脚は、固定脚の１面にのみ挿通孔を設けると共に、挿入ロッド部の対向する１面にのみガイド穴を設けて、各固定脚を１本の止ネジを介して挿入ロッド部に固定することもできる。この構造は、製造コストを低減して安価に製造できる。
【００３３】
さらに、図１１は、外形を円柱状とする伸縮脚７の固定脚２を、止ネジ１２を介して挿入ロッド部８に固定する一例を示している。この伸縮脚７は、止ネジ１２を雄ネジとして、固定脚２の筒部４に設ける挿通孔１３を雌ねじ孔としている。さらに、外形を円柱状とする挿入ロッド部８は、止ネジ１２の先端部を挿入するガイド穴１４として、複数のリング溝１６を挿入ロッド部８の長手方向に離して設けている。これ等のリング溝１６も、鍔部９と固定脚２との間に、長さが異なる調整筒１０を入れ、あるいは調整筒１０を入れない状態で、挿通孔１３に挿入される止ネジ１２の先端部を挿入できる位置に設けられている。以上の構造は、固定脚２の筒部４に挿入される円柱状の挿入ロッド部８の向きに関係なく、挿通孔１３に挿入される止ネジ１２の先端部をガイド穴１４であるリング溝１６に案内して挿入ロッド部８を抜けないように固定脚２に固定できる。
【００３４】
以上の机は、挿入ロッド部８に挿入する調整筒１０の個数や長さを調整し、あるいは調整筒１０を外して、天板１を最適な高さに調整する。調整筒１０を入れない状態で天板１は最も低くなり、挿入ロッド部８に調整筒１０を入れる状態では天板１を高くできる。長さが異なる複数の調整筒１０を備える机は、調整筒１０の高さや個数を変更して、伸縮脚７の長さを変更して天板１の高さをより最適な位置に調整できる。
【産業上の利用可能性】
【００３５】
本発明の机は、伸縮脚の長さを調整することで、種々の用途、たとえば座った状態で使用する机から椅子に座って使用するのに最適な位置に天板の高さを調整して、多くの使用状態で便利に使用できる。
【符号の説明】
【００３６】
１…天板
２…固定脚
３…延長脚部
４…筒部
５…嵌入溝
６…板状突出部
７…伸縮脚
８…挿入ロッド部
９…鍔部
１０…調整筒
１２…止ネジ
１３…挿通孔
１４…ガイド穴
１５…中空部
１６…リング溝
【図１】
2015130970.tif 000003
【図２】
2015130970.tif 000004
【図３】
2015130970.tif 000005
【図４】
2015130970.tif 000006
【図５】
2015130970.tif 000007
【図６】
2015130970.tif 000008
【図７】
2015130970.tif 000009
【図８】
2015130970.tif 000010
【図９】
2015130970.tif 000011
【図１０】
2015130970.tif 000012
【図１１】
2015130970.tif 000013